(57)【要約】【課題】  外観、衛生学，及び人間工学に関する新しい可能性を提供するアプリケータの提供。【解決手段】  本発明は、第一の安定した形状及び第二の安定した形状をとることができ、少なくとも一部が弾性的に変形可能な第一の壁（１０）と、第一の壁と共同して内部空間を構成する第二の壁（２０）と、内部空間内に配置された複数の物体とを含み、少なくとも第一の壁が第二の形状にある時、第一の壁（１０）が第二の壁（２０）に対して少なくとも幾つかの物体を押圧するようになったアプリケータに関する。【選択図】      図１
2005349194.tif 000002
【特許請求の範囲】
【請求項１】
第一の安定した形状及び第二の安定した形状をとることができ、少なくとも一部が弾性的に変形可能な第一の壁（１０）と、
前記第一の壁と共同して内部空間（３０）を構成する第二の壁（２０）と、
前記内部空間内に配置された複数の物体（３１）と、
を含み、少なくとも前記第一の壁が前記第二の形状にある時、前記物体（３１）の少なくとも幾つかが前記第一の壁（１０）により前記第二の壁（２０）に対して押圧されることを特徴とするアプリケータ。
【請求項２】
第一の安定した形状及び第二の安定した形状をとることができ、少なくとも一部が弾性的に変形可能な第一の壁（１０）と、
前記第一の壁と共同して内部空間（３０）を構成する第二の壁（２０）と、
前記内部空間内に配置された物質（Ｐ）と、
を含み、前記第二の壁（２０）の少なくとも一部が前記物質に対して透過性であり、少なくとも前記第一の壁（１０）が前記第二の形状にある時、前記第一の壁（１０）が前記第二の壁（２０）に対して前記物質を押圧することを特徴とするアプリケータ。
【請求項３】
第一の安定した形状及び第二の安定した形状をとることができ、少なくとも一部が弾性的に変形可能な第一の壁（１０）と、
少なくとも一部が物質に対して透過性であり、前記第一の壁と共同して内部空間（３０）を構成する第二の壁（２０）と、
前記内部空間内に配置された基材（１４０）と、
を含み、前記基材は、前記物質を吸収し、放出するのに適しており、少なくとも前記第一の壁（１０）が前記第二の形状にある時、前記第一の壁（１０）が前記第二の壁（２０）に対して前記基材を押圧することを特徴とするアプリケータ。
【請求項４】
請求項１から請求項３までのいずれか一項に記載したアプリケータであって、
前記第一の壁が前記第一の形状にある時よりも前記第一の壁（１０）が前記第二の形状にある時に、前記第一の壁が前記第二の壁に対して前記物体又は前記物質を強く押圧することを特徴とするアプリケータ。
【請求項５】
請求項１から請求項４までのいずれか一項に記載したアプリケータであって、前記第二の壁（２０）の少なくとも一部が弾性的に変形可能であることを特徴とするアプリケータ。
【請求項６】
請求項１に記載したアプリケータであって、前記第二の壁（２０）の少なくとも一部が透過性であることを特徴とするアプリケータ。
【請求項７】
請求項１から請求項６までのいずれか一項に記載したアプリケータであって、前記第一の壁（１０）は、前記第一の形状にある時、全体として外向きに凸状の形を呈することを特徴とするアプリケータ。
【請求項８】
請求項１から７までのいずれか一項に記載したアプリケータであって、前記第二の壁（２０）がその周縁において前記第一の壁に固定されていることを特徴とするアプリケータ。
【請求項９】
請求項８に記載したアプリケータであって、前記第一の壁（１０）は環状の周辺部（１１；１５）を有し、この周辺部に前記第二の壁（２０）が固定されていることを特徴とするアプリケータ。
【請求項１０】
請求項１から９までのいずれか一項に記載したアプリケータであって、前記第一の壁（１０）は、凹面側を反転させることにより、一つの形状から他の形状になることを特徴とするアプリケータ。
【請求項１１】
請求項１から１０までのいずれか一項に記載したアプリケータであって、前記第二の壁（２０）がネットからなることを特徴とするアプリケータ。
【請求項１２】
請求項１に記載したアプリケータであって、前記複数の物体（３１）はビーズからなることを特徴とするアプリケータ。
【請求項１３】
請求項１に記載したアプリケータであって、前記物体（３１）の少なくとも幾つかは塗布される物質に関して不活性な材料から形成されたことを特徴とするアプリケータ。
【請求項１４】
請求項１に記載したアプリケータであって、前記物体（３１）の少なくとも幾つかが、少なくとも一つの美容上又は皮膚科学的に活性な薬剤からなることを特徴とするアプリケータ。
【請求項１５】
請求項１に記載したアプリケータであって、前記物体（３１）少なくとも幾つかが磁気特性を呈することを特徴とするアプリケータ。
【請求項１６】
請求項１に記載したアプリケータであって、前記物体（３１）の少なくとも一つが焼結材からなることを特徴とするアプリケータ。
【請求項１７】
請求項１に記載したアプリケータであって、前記物体（３１）の少なくとも二つが異なることを特徴とするアプリケータ。
【請求項１８】
請求項１に記載したアプリケータであって、前記物質（３１）の少なくとも二つが異なる活性剤からなることを特徴とするアプリケータ。
【請求項１９】
請求項１に記載したアプリケータであって、前記第一の壁（１０）が前記第一の形状にある時、少なくとも５０％まで前記物体（３１）によって占められる容積を前記内部空間（３０）が呈することを特徴とするアプリケータ。
【請求項２０】
請求項１に記載したアプリケータであって、前記物体（３１）の最大値の寸法が、５ｍｍ又はそれよりも小さく、好ましくは３ｍｍ又はそれよりも小さいことを特徴とするアプリケータ。
【請求項２１】
請求項１に記載したアプリケータであって、前記複数の物体が約１００以上の物体からなることを特徴とするアプリケータ。
【請求項２２】
請求項１から２１までのいずれか一項に記載したアプリケータであって、前記第一の壁を広げる取手部材（１７）を含むことを特徴とするアプリケータ。
【請求項２３】
請求項１から２２までのいずれか一項に記載したアプリケータであって、前記第二の壁（２０）は前記第一の壁（１０）に熱接着されたことを特徴とするアプリケータ。
【請求項２４】
請求項１から２３までのいずれか一項に記載したアプリケータであって、前記内部空間を（３０）閉じるためのキャップ（４０）を含むことを特徴とするアプリケータ。
【請求項２５】
請求項２４に記載したアプリケータであって、前記キャップ（４０）が供給される物質（Ｐ）を収容することを特徴とするアプリケータ。
【請求項２６】
請求項２４又は請求項２５に記載したアプリケータであって、前記キャップ（４０）は実質的に半球状の形を呈することを特徴とするアプリケータ。
【請求項２７】
請求項２６に記載したアプリケータであって、前記キャップ（４０）は、取付けられた場合、前記第一の壁（１０）と共同して実質的に球体を形成することを特徴とするアプリケータ。
【請求項２８】
請求項１又は請求項２に記載したアプリケータであって、前記第二の壁（２０）は弾性的に変形可能でないことを特徴とするアプリケータ。
【請求項２９】
請求項１に記載したアプリケータであって、前記第二の壁（２０）は、前記物体（３１）の少なくとも一つが処置される表面に接触することは許容するが、該物体が前記第二の壁を通り抜けるのは許容しないように構成されたことを特徴とするアプリケータ。
【請求項３０】
請求項３に記載したアプリケータであって、前記基材はセル構造を呈することを特徴とするアプリケータ。
【請求項３１】
請求項３に記載したアプリケータであって、前記基材は繊維構造を呈することを特徴とするアプリケータ。
【請求項３２】
請求項３０に記載したアプリケータであって、前記基材は発泡体又はスポンジからなることを特徴とするアプリケータ。
【請求項３３】
請求項３に記載したアプリケータであって、前記基材は化粧品又はケア製品が含侵されたものであることを特徴とするアプリケータ。
【請求項３４】
請求項２に記載したアプリケータであって、前記物質は前記内部空間（３０）内にある基材（１４０）に含侵されていることを特徴とするアプリケータ。
【請求項３５】
請求項１又は請求項３に記載したアプリケータと、該アプリケータによって皮膚、粘液膜、爪又は髪に塗布される物質とをともに含むことを特徴とするキット。
【請求項３６】
皮膚に物質を塗布する方法であって、
請求項１から請求項３３までいずれか一項に記載したアプリケータの第一の壁（１０）が第二の形状にある状態で第二の壁を処置される表面に接触させることを特徴とする方法。
【請求項３７】
請求項３６に記載した方法であって、塗布の前に、使用者によって前記第一の壁（１０）が前記第一の形状から前記第二の形状にされることを特徴とする方法。
【請求項３８】
請求項３６に記載した方法であって、塗布の後に、使用者によって前記第一の壁（１０）が前記第一の形状に戻されることを特徴とする方法。
【発明の詳細な説明】
【技術分野】
【０００１】
本発明は、化粧品又はケア製品を塗布するためのアプリケータに関する。
【背景技術】
【０００２】
ヨーロッパ特許出願ＥＰ  Ａ１  １  ３１４  ３７３は、本出願人の名のもとに、内部空間にビーズのような複数の物体を収容するアプリケータについて記述している。物体が含まれる内部空間は、液体を該内部空間に流入させることができ、物体間の毛細管作用によって該内部空間に保持することができる透過性の壁によって少なくとも一部が形成される。
ドイツ特許出願  ＤＥ  ４  ０３７  ８２１は、石灰岩の小石のような複数の物体を含む容器からなるクッションについて記載している。
【０００３】
【特許文献１】ヨーロッパ特許出願ＥＰ  Ａ１  １  ３１４  ３７３
【特許文献２】ドイツ特許出願  ＤＥ  ４  ０３７  ８２１
【発明の開示】
【課題を解決するための手段】
【０００４】
外観、衛生学，及び人間工学に関する新しい可能性を提供するアプリケータによる利益を受けることの必要性がある。また、物質の塗布に関連する新規な取り扱い手段及び新規な知覚的認識の必要性がある。本発明は、完全に又は部分的にこの必要性を満たすことを探求するものである。
【０００５】
一つの側面においては、本発明は、
第一の安定した形状及び第二の安定した形状をとることができ、少なくとも一部が弾性的に変形可能な第一の壁と、
該第一の壁と共同して内部空間を構成する第二の壁と、
上記内部空間内に配置された複数の物体と、
を含み、少なくとも上記第一の壁が上記第二の形状にある時、該第一の壁が第二の壁に対して少なくとも幾つかの物体を押圧するようになった、
アプリケータを提供する。
【０００６】
他の一つの側面においては、本発明は、
第一の安定した形状及び第二の安定した形状をとることができ、少なくとも一部が弾性的に変形可能な第一の壁と、
上記第一の壁と共同して内部空間を構成する第二の壁と、
上記内部空間内に配置された物質と、
を含み、上記第二の壁は、少なくとも一部が上記物質に対して透過性であり、少なくとも上記第一の壁が上記第二の形状にある時、該第一の壁が第二の壁に対して少なくとも上記物質を押圧するようになった
アプリケータを提供する。
【０００７】
適切な場合には、物質は内部空間に含まれる基材に含侵させることができる。
【０００８】
他の側面においては、本発明は、
第一の安定した形状及び第二の安定した形状をとることができ、少なくとも一部が弾性的に変形可能な第一の壁と、
少なくとも一部が物質に対して透過性であり、上記第一の壁と共同して内部空間を構成する第二の壁と、
上記内部空間内に配置された基材と、
を含み、上記基材は、上記物質を吸収し、放出するのに適したものであり、少なくとも上記第一の壁が上記第二の形状にある時、上記第一の壁が上記第二の壁に対して上記基材を押圧するようになった
アプリケータを提供する。
【０００９】
基材は、繊維状又はセル状の構造を呈することができ、例えば、発泡体又はスポンジからなるものとすることができる。該基材は、任意に化粧品又はケア製品を含侵することができ、基材は、例えば、このような物質とともに包装するか、又は該物質を使用直前に受けるようにすることができる。
【００１０】
第二の壁（２０）は、その少なくとも一部が弾性的に変形可能であることが好ましい。
【００１１】
第一の壁の形状を変えることにより、アプリケータに斬新な外観を与えることができ、かつ、それによって楽しく遊べるようになる。加えて、第二の壁の変形可能性は、処置される表面の輪郭に密接した状態での塗付をある程度可能にする。第一の壁が第二の形状にある時、物体及び／又は物質はまた汚れからある程度保護される。
【００１２】
第一の壁が第一の形状にある時よりも、該第一の壁が第二の形状にある時において、該第一の壁が第二の壁に対して物体又は／及び物質をより強く押圧するようにすることができる。
【００１３】
例として、このようにすることにより、第一の壁が第一の形状にある時、内部空間内の物体がより自由に動くことができるようになり、該物体が自由運動によって清浄作用を受けるように設計されている場合には、これらの物体に清浄作用を与えるのが容易になる。
【００１４】
適切な場合には、内部空間が第二の壁を通り抜けることが可能な物体を含むものであれば、上述の構成は又、第一の壁が第二の形状にある時にのみ、物質が第二の壁を通り抜けるのを可能にする。
【００１５】
本発明の一実施形態においては、第一の壁は、第一の形状にある時に全体として第一の壁は、凹面になっている側を反転させることにより、一つの形状からもう一つの形状に変わるようにすることができる。
【００１６】
第二の壁は、その周辺部において第一の壁に固定することができ、任意ではあるが、第一の壁に取り外し可能に固定されるようにすることができる。例えば、第二の壁は、第一の壁に熱接着することができる。例えば、第一の壁は、環状の縁を含む構成とし、この縁に第二の壁が固定されるようにすることができる。
【００１７】
第二の壁は、ネット、発泡体、不繊材又は織成生地、又は多孔フィルムから構成することができ、多孔フィルムはフロック加工により塗装することができる。第二の壁は、弾性的に変形可能であることが好ましいが、非弾性的に変形可能なものとすることができる。適切な場合には、第二の壁は、第一の壁の一部と一体片にすることができる。
【００１８】
上記の複数の物体は、ビーズから構成することができる。少なくとも幾つかの物体は、塗布される物質に対して不活性な材料から形成することができる。少なくとも幾つかの物体は、少なくとも一つの美容上又は皮膚科学的に活性な薬剤を含むことができる。少なくとも幾つかの物質は、磁気特性を呈するものとすることができる。少なくとも一つの物質を、焼結材、例えば焼結セラミックとすることができる。物体は、その最大寸法が、５ミリメートル（ｍｍ）又はそれよりも小さく、好ましくは３ｍｍ又はそれよりも小さいものとすることができる。上記複数の物質は、約１００以上の物体からなるものとすることができる。該物体の少なくとも二つは異なるものとすることができる。例えば、該物体の少なくとも二つを異なる活性剤から構成することができる。
【００１９】
第二の壁は、少なくとも一つの物体が処置される表面に接触するのを可能にするが、該物体が第二の壁を通り抜けるのは許容しないように構成することができる。
【００２０】
第一の壁が第一の形状にある時、内部空間は少なくとも容量の５０％が該内部空間に含まれる物体によって占められるようにすることができる。例として、第一の壁が第一の形状にある時、物体が実質的に内部空間のすべての容積を占めるようにすることができる。
【００２１】
アプリケータは第一の壁を広げる取手部材を含むことができる。
アプリケータは、内部空間を閉じるためのキャップを含むことができる。適切な場合には、キャップは供給用の物質を収容することができる。
【００２２】
キャップは、多様な形状にすることができ、例として、ほぼ半球状の形にすることができる。第一の壁がほぼ半球体であると仮定して、キャップは、所定位置において第一の壁と共同してほぼ球体を形成することができる。
【００２３】
本発明は又、アプリケータと該アプリケータによって皮膚、粘液膜、爪又は髪に塗布される物質とを含むキットを提供する。例として、物質は、化粧品及び／又は皮膚のケア製品、特に、カラー剤、及び艶コントロール剤及びコンシーラー剤とすることができる。物質は、アプリケータとは別に包装することができ、或いは、別の態様として、内部空間を閉じるためのキャップ内に包装でき、さらに別の態様として、第二の壁の少なくとも一部が物質に対して又は該物質の溶剤に対して透過性である場合には、内部空間自体の中に包装してもよい。
【００２４】
もう一つの側面においては、本発明は、
上述したアプリケータの第二の壁が第二の形状にある時、該第二の壁を、処置される表面に接触させる、
段階を含む、皮膚に物質を塗布する方法を提供する。
【００２５】
塗布前に、第一の壁は使用者によって第一の形状から第二の形状に変えることができる。塗布後には、例えば、内部空間内に含まれている物体を清浄にするのを容易にするために、閉じ用キャップをアプリケータに取り付けることを可能にするために、或いは物体及び／又は物質を汚れから保護するために、第一の壁（１０）は使用者によって第一の形状に戻される。
【発明を実施するための最良の形態】
【００２６】
本発明は、限定的でない実施形態についての以下の詳細な説明を読み、添付図面を考察することにより、よりよく理解できる。
【００２７】
図１から図４に示されているアプリケータは、第一の壁１０を備え、該第一の壁１０は、図１に示される第一の形状と、図３に示される第二の形状をとることができ、説明される例では、第一の壁１０は、図２から分かるように、第一の形状にある時、ほぼ半球形の形状を呈する。
【００２８】
アプリケータ１はまた、第二の壁２０を有し、該第二の壁２０は、物体３１に対して透過性で、第一の壁と共同して複数の物体３１を含む内部空間３０を構成する。
【００２９】
説明される例では、第二の壁２０は弾性的に変形可能である。例として、示された例においては小さなビーズから構成される物体３１が通り抜けるのを阻止するのに十分なほど小さいメッシュサイズのネットにより構成されている。
【００３０】
例として、図２から分かるように、第二の壁２０は、その周辺部２１において第一の壁１０の端縁１１に固定されている。この固定は、例えば、材料の性質に応じて、接着剤又は熱接着を使って遂行することができ、或いは他の手段として、特に追加の締結部品を使って、例えば、第一の壁１０に対して第二の壁２０を固定し、例えば、物体３１を交換するか、又は物質を内部空間３０に充填できるようにすることができ、さらに、何らかの特定用途の機能を得るために選択された物体を充填するために、取り外し可能な形態で固定することができる。
【００３１】
説明される例においては、第一の壁１０は弾性的に変形可能な材料により構成され、従って、使用者は、図１において凹形であった第一の壁１０の側を反転させて、図３に示される第二の形状にすることができる。
【００３２】
例として、第一の壁は、それぞれの手の人差し指と中指で端１１を保持しながら、２本の親指で第一の壁１０の中心部１２を押すことによって、第一の形状から第二の形状にすることができる。第一の形状から第二の形状にする時には、第一の壁１０は、内部の圧力が最大になる状態を通過する。第二の形状においては、図３で分かるように、第一の壁１０が、第二の壁２０に対して押し付けられる物体３１を保持し、第二の壁２０は、全体として外向きに凸状、例えば、ほぼ半球形の形状となり、内部空間３０内にはある量の物体３１収められ、及び／又は、第二の壁２０の寸法及び／又は弾力性は、この例においては、この結果が得られるように、は選ばれる。
【００３３】
物体３１が、図５に示す状態で第二の壁２０から突出することができるように、第二の壁は厚さｅ及び最小の寸法ｄの開口部２４を呈する形態にすることが好都合である。最小の寸法ｄは、物体３１が第二の壁２０を通り抜けるのを阻止するため、該物体の３１の直径Ｄより小さい。
【００３４】
使用者は、図４に示すように、アプリケータ１の周辺部を保持し、第二の壁２０の中心部２０を利用して、マッサージ及び／又は物質の塗付、及び／又は、皮膚の処置、例えば皮膚剥離を行うことができる。
【００３５】
塗布中には、物体３１が互いに動くことができ、従って、アプリケータは処置される表面の外形にある程度適合することができるようになる。
【００３６】
適切な場合には、アプリケータを処置される表面に接触させる前に、使用者は、例えば、中心部２２を物質の塊上で擦ることにより、或いは、アプリケータを物質に押し付けることにより、アプリケータに物質を充填することができる。
【００３７】
使用後には、使用者は、親指で中心部２２を押し、第一の壁１０の反対側を他の指で押すことにより、第一の壁１０を最初の形状に戻すことができる。
【００３８】
第二の壁２０の弾力性、及びどの程度まで内部空間３０が物体３１で埋められているかによって、第一の形状のもとで、物体が持つ自由度は大きくなったり、小さくなったりする。自由な動きが大きい場合には、アプリケータに流水を当てることによって容易に物体３１を清浄にすることができるようになる。
【００３９】
適切な場合には、図６に示すように、第一の壁１０は、アプリケータの不使用時に、閉じキャップ４０を取り付けることができる構成にすることができる。例えば、第一の壁１０は、周辺部において、レリーフ部１３、例えば環状のリップを有し、キャップ４０は、該レリーフ１３に取り付けられるように構成することができる。例として、キャップ４０は第一の壁１０のレリーフ１３の一部に嵌め合い固定されるように設計された環状のリップ４１を有することができる。例として、レリーフ１３の一部は環状のビード１４を含むことができ、キャップ４０の対応する溝４２がスナップ係合するように設計することができる。
【００４０】
図６に示す例においては、第二の壁２０はレリーフ１３の一部より半径方向内側に位置する周辺部１５に沿って第一の壁１０に固定される。
【００４１】
キャップ４０は、アプリケータを閉じるだけの役割のものとすることができ、或いは図示する変形態様におけるように、例えば、キャップの内部に鋳込まれるか又は押し固められた分散可能な物質のような供給物質Ｐを含むことができる。
【００４２】
本発明は、第一の壁１０として示された特定の形状に限定されるものではなく、例えば、図７に示すように、取手部分１７を有するように形成することが可能で、取手部分１７は中心部１２から外向きに延びるようにすることが可能である。
【００４３】
第一の壁１０は、全体が弾性的に変形可能な材料から作られることが好ましい。しかし、第一の壁１０の例えば取手部分１０を、弾性的に変形可能でない材料で形成するなど、一部分だけを弾性的に変形可能な材料から形成することは、本発明の範囲を超えるものではない。第一の壁１０の材料は、弾性体である必要はない。
【００４４】
適切な場合には、第一の壁１０は、物体３１を充填することができ、及び／又は、内部の物体３１を他の物体３１と取り替えることができ、或いは、物質を充填することができる開口部を持つことができ、該開口部は閉じ手段を設けることができる。
【００４５】
第二の壁２０は、全体が透過性である必要はなく、例えば、該第二の壁２０は、中心部２２のみに開口部を持つものとすることができる。
【００４６】
第二の壁２０は、ネット以外のものから形成することができ、例えば、発泡体、特に連続気泡を持つ発泡体、織成又は不織材生地、又は多孔フィルムから形成することができ、多孔フィルムは、適切な場合にはフロック加工により塗装することができる。第二の壁は、複合構造にすることができ、例えば異なる二つの層を持つもの、例えば発泡体とネットからなるもの、発泡体と多孔フィルムからなるもの、或いは発泡体と不織材生地からなるものとすることができ、他の組み合わせも可能である。適切な場合には、図８に示すように、第二の壁２０は弾性的に変形可能である必要はない。
【００４７】
このような状況の場合には、第一の壁が第一の形状にあるとき、物体３１は内部空間３０のすべての容積を占める必要はない。
物体３１は、多くの方法で形成することができ、内部空間３０は一つ又は多くの種類の物体３１を含むことができる。
【００４８】
例えば、物体は、塗布される物質に対して完全に不活性なものとすることができ、或いは、変形態様においては、例えば、第二の壁２０を透過した水又はローションのような液体に接触したとき、美容上又は皮膚科学的に活性になる少なくとも一つの薬剤を放出するように構成することができる。
【００４９】
適切な場合には、物体３１は、例えば、血液の微小循環に作用を与える磁気特性をもつものとすることができる。
【００５０】
物体３１は、液体と接触したとき、例えば、水、水アルコールローション、又はオイルに接触したとき、或いは処置される表面にアプリケータが擦りつけられたときの効果によって、分解、分散、又は次第に分裂するように構成することができる。
【００５１】
処置される表面に塗布するための物質は、物体３１からのみもたらされるようにすることができ、その場合には、物体は、任意ではあるが、上述の物質から構成するか、又は、該物質を少量だけ含むようにすることができる。
【００５２】
図９に示す例においては、内部空間３０は、物質Ｐ、例えばジェル又はペーストを含み、少なくとも第一の壁が図１０に示す第二の形状にある時、第二の壁２０は物質Ｐに対して透過性である。
【００５３】
アプリケータは、第一の壁１０が第一の形状にある時、物質Ｐは内部空間内に保持されるような形態に構成することができ、第二の壁の多孔性は、物質Ｐに作用する圧力がないときには、物質Ｐが該第二の壁を通り抜けるのが阻止されるように、十分に小さくする。第一の壁１０が第二の形状にある時には、図１０に示すように、内部空間の容積が減少し、物質は第一の壁１０により第二の壁に対して押し付けられる。加えて、第二の壁２０は、塗付を容易にするため全体として凸形状である。物質は、例えば、第一の壁１０から物質Ｐに作用する圧力、及び／又は、塗付中に処置される表面に対して作用する圧力及び／又は摩擦によって、塗付中に第二の壁２０を通り抜ける。
【００５４】
図１１は、内部空間３０が、任意的には弾性的に変形可能な、例えば連続気泡の発泡体のような基材１４０を受け入れる可能性を示す。
【００５５】
基材１４０は、第一の壁１０が形状を変えるのを妨げないことを確実にするように、圧縮性を持つものが選ばれる。
【００５６】
基材１４０は、使用前に、液体又は固体状の物質に含浸することができ、例えば、この状態で使用者が入手できるようにすることができる。基材１４０は、第一の形状にある時に第一の壁１０によって圧縮されるように構成することができる。適切な場合には、該基材１４０はまた、含浸させない状態で使用者に提供し、どの物質を塗付するかについては使用者が自由に決めることができ、その物質を該基材１４０に含浸させることができるようにすることができる。
【００５７】
本発明は、示された例に限定されるものではない。特に、上記で説明された多様な実施形態の特徴は互いに組み合わせることができる。
【００５８】
請求項を含む意味での上記の説明において、「一つを含む」という用語は、特に反対の意味に特定されない限り、「少なくとも一つを含む」の同意語と理解されるべきである。
【図面の簡単な説明】
【００５９】
【図１】本発明に従って構成された第一の壁が第一の形状にあるアプリケータの概略斜視図である。
【図２】図１のアプリケータの中心面における概略断面図である。
【図３】第一の壁が第二の形状にある時の図１のアプリケータを示す。
【図４】図１から図３までに記載のアプリケータの使用状況を示す。
【図５】物体が処置される表面に接触できる状態を示す。
【図６】多くのアプリケータについての実施形態のうちの幾つかの異なる実施形態示す。
【図７】多くのアプリケータについての実施形態のうちの幾つかの異なる実施形態示す。
【図８】図２に類似する本発明の異なる実施形態の図である。
【図９】第一の壁がそれぞれ第一の形状及び第二の形状にあるときの、塗布のための物質を含むアプリケータの中心面の断面図である。
【図１０】第一の壁がそれぞれ第一の形状及び第二の形状にあるときの、塗布のための物質を含むアプリケータの中心面の断面図である。
【図１１】図２に類似するもう一つの異なる実施形態を示す。
【符号の説明】
【００６０】
１  アプリケータ
１０  第一の壁
２０  第二の壁
【図１】
2005349194.tif 000003
【図２】
2005349194.tif 000004
【図３】
2005349194.tif 000005
【図４】
2005349194.tif 000006
【図５】
2005349194.tif 000007
【図６】
2005349194.tif 000008
【図７】
2005349194.tif 000009
【図８】
2005349194.tif 000010
【図９】
2005349194.tif 000011
【図１０】
2005349194.tif 000012
【図１１】
2005349194.tif 000013
【外国語明細書】
2005349194.tif 000014
2005349194.tif 000015
2005349194.tif 000016
2005349194.tif 000017
2005349194.tif 000018
2005349194.tif 000019
2005349194.tif 000020
2005349194.tif 000021
2005349194.tif 000022
2005349194.tif 000023
2005349194.tif 000024
2005349194.tif 000025
2005349194.tif 000026
2005349194.tif 000027
2005349194.tif 000028
2005349194.tif 000029
2005349194.tif 000030
2005349194.tif 000031
2005349194.tif 000032
2005349194.tif 000033